(57)【特許請求の範囲】
【請求項１】
セルラ・ネットワークにおいて通信する方法であって、
モバイル・デバイスにおいて、第２のキャリアを使用する第１の基地局から前記第２のキャリアとは異なるホットスポット・キャリアである候補キャリアを受信することと、
前記モバイル・デバイスにおいて、前記受信した候補キャリアのパイロット電力レベルに基づいて、前記候補キャリアに関連付けられた第１のリバース・リンク送信電力レベルを判定することと、
前記モバイル・デバイスにおいて、前記第１のリバース・リンク送信電力レベルと、第２の基地局と通信するために前記モバイル・デバイスによって使用される前記第２のキャリアに対応する第２のリバース・リンク送信電力レベルとの差を判定することと、
前記モバイル・デバイスにおいて、前記第１のリバース・リンク送信電力レベルと前記第２のリバース・リンク送信電力レベルとの差に基づいて、前記モバイル・デバイスが前記セルラ・ネットワーク上で通信するために利用可能なキャリア・セットを更新することと
を備える方法。
【請求項２】
前記第１のリバース・リンク送信電力レベルを判定することは、前記候補キャリアでの前記第１の基地局とのリバース・リンク通信のための前記第１のリバース・リンク送信電力レベルを推定することを備える、請求項１に記載の方法。
【請求項３】
前記差を判定することは更に、前記推定されたリバース・リンク通信のための第１のリバース・リンク送信電力レベルを、前記第２のキャリアでの前記第２の基地局とのリバース・リンク通信のための前記第２のリバース・リンク送信電力レベルと比較することを備える、請求項２に記載の方法。
【請求項４】
前記更新することは、前記差が予め定められた値よりも小さいことに応じて、前記候補キャリアについての情報を前記キャリア・セットに追加することを備える、請求項１に記載の方法。
【請求項５】
前記更新することは、前記差が予め定められた値よりも大きいことに応じて、前記候補キャリアについての情報を前記キャリア・セットから削除することを備える、請求項１に記載の方法。
【請求項６】
前記候補キャリアを受信することは、前記第１の基地局からのフォワード・リンク・パイロットの電力レベルを判定することを更に備える、請求項１に記載の方法。
【請求項７】
前記キャリア・セットを更新することは、前記差が予め定められた値よりも小さく、かつ、前記第１の基地局からのフォワード・リンク・パイロットの電力レベルが第２のしきい値を超えていることに応じて、前記候補キャリアについての情報を追加することを備える、請求項６に記載の方法。
【請求項８】
前記キャリア・セットを更新することは、前記差が予め定められた値を超えていること、または前記第１の基地局からのフォワード・リンク・パイロットの電力レベルが第２のしきい値を下回っていることに応じて、前記候補キャリアについての情報を前記キャリア・セットから削除することを備える、請求項６に記載の方法。
【請求項９】
前記キャリア・セットは、前記差が、前記セルラ・ネットワークの周波数間隔に基づいて、予め定められた値を超えていることに応じて更新される、請求項１に記載の方法。
【請求項１０】
前記キャリア・セットは、少なくとも１つの基地局および周波数ペアに関連する情報を含む、請求項１に記載の方法。
【請求項１１】
前記第２の基地局は、前記候補キャリアの周波数とは異なる１又は複数の周波数のみで送信する、請求項１に記載の方法。
【請求項１２】
前記モバイル・デバイスは、ＴＩＡ−８５６（電気通信産業団体）規格によって規定されるようなフォーマットを有する信号を処理するように構成された、請求項１に記載の方法。
【請求項１３】
前記候補キャリアは、前記セルラ・ネットワークのホットスポット・キャリア又は部分オーバレイ・キャリアを備える、請求項１に記載の方法。
【請求項１４】
前記第１のリバース・リンク送信電力レベルは、前記第１の基地局とのリバース・リンク通信のために推定された送信電力の平均値を備え、前記第２のリバース・リンク送信電力レベルは、前記第２の基地局とのリバース・リンク通信のための送信電力の平均値を備える、請求項１に記載の方法。
【請求項１５】
前記差を判定することは、前記第２のリバース・リンク送信電力レベルから前記第１のリバース・リンク送信電力レベルを減じること、または前記第１のリバース・リンク送信電力レベルから前記第２のリバース・リンク送信電力レベルを減じることを備える、請求項１４に記載の方法。
【請求項１６】
前記第１の基地局とのリバース・リンク通信のために推定された送信電力の平均値を判定するために、前記第１のリバース・リンク送信電力レベルをフィルタすることと、前記第２の基地局とのリバース・リンク通信のための送信電力の平均値を判定するために、前記第２のリバース・リンク送信電力レベルをフィルタすることとを更に備える、請求項１４に記載の方法。
【請求項１７】
セルラ・ネットワーク上での無線通信のために動作可能なモバイル・デバイスであって、
前記モバイル・デバイスにおいて、第２のキャリアを使用する第１の基地局から前記第２のキャリアとは異なるホットスポット・キャリアである候補キャリアを受信する手段と、
前記受信された候補キャリアのパイロット電力レベルに基づいて、前記候補キャリアに関連付けられた第１のリバース・リンク送信電力レベルを判定する手段と、
前記第１のリバース・リンク送信電力レベルと、第２の基地局と通信するために前記モバイル・デバイスによって使用される前記第２のキャリアに対応する第２のリバース・リンク送信電力レベルとの差を判定する手段と、
前記第１のリバース・リンク送信電力レベルと前記第２のリバース・リンク送信電力レベルとの差に基づいて、前記モバイル・デバイスが前記セルラ・ネットワーク上で通信するために利用可能なキャリア・セットを更新する手段と
を備えるモバイル・デバイス。
【請求項１８】
前記第１のリバース・リンク送信電力レベルを判定する手段は、前記第１の基地局とのリバース・リンク通信のための前記第１のリバース・リンク送信電力レベルを推定する手段を備える、請求項１７に記載のモバイル・デバイス。
【請求項１９】
前記推定された第１のリバース・リンク送信電力レベルを、前記第２の基地局とのリバース・リンク通信のための第２のリバース・リンク送信電力レベルと比較する手段を更に備える、請求項１８に記載のモバイル・デバイス。
【請求項２０】
前記更新する手段は、前記差が予め定められた値よりも小さいことに応じて、前記候補キャリアについての情報を前記キャリア・セットに追加する手段を備える、請求項１７に記載のモバイル・デバイス。
【請求項２１】
前記更新する手段は、前記差が予め定められた値よりも大きいことに応じて、前記候補キャリアについての情報を前記キャリア・セットから削除する手段を備える、請求項１７に記載のモバイル・デバイス。
【請求項２２】
前記候補キャリアを受信する手段は、前記第１の基地局からのフォワード・リンク・パイロットの電力レベルを判定する手段を更に備える、請求項１７に記載のモバイル・デバイス。
【請求項２３】
前記キャリア・セットを更新する手段は、前記差が予め定められた値よりも小さく、かつ、前記第１の基地局からのフォワード・リンク・パイロットの電力レベルが第２のしきい値を超えていることに応じて、前記候補キャリアについての情報を追加する手段を備える、請求項１７に記載のモバイル・デバイス。
【請求項２４】
前記キャリア・セットを更新する手段は、前記差が予め定められた値を超えていること、または前記第１の基地局からのフォワード・リンク・パイロットの電力レベルが第２のしきい値を下回っていることに応じて、前記候補キャリアについての情報を前記キャリア・セットから削除する手段を備える、請求項１７に記載のモバイル・デバイス。
【請求項２５】
前記キャリア・セットを更新することに応じて、リバース・リンク・キャリアで前記第１の基地局へ送信する手段を更に備える請求項１７に記載のモバイル・デバイス。
【請求項２６】
前記モバイル・デバイスは、ＴＩＡ−８５６（電気通信産業団体）規格によって規定されたフォーマットを有する信号を処理するように構成された、請求項１７に記載のモバイル・デバイス。
【請求項２７】
前記候補キャリアは、前記セルラ・ネットワークにおけるホットスポット・キャリア又は部分オーバレイ・キャリアを備える、請求項１７に記載のモバイル・デバイス。
【請求項２８】
前記第１のリバース・リンク送信電力レベルは、前記第１の基地局とのリバース・リンク通信のために推定された送信電力の平均値を備え、前記第２のリバース・リンク送信電力レベルは、前記第２の基地局とのリバース・リンク通信のための送信電力の平均値を備える、請求項１７に記載のモバイル・デバイス。
【請求項２９】
前記差を判定する手段は、前記第２のリバース・リンク送信電力レベルから前記第１のリバース・リンク送信電力レベルを減じる手段又は、前記第１のリバース・リンク送信電力レベルから前記第２のリバース・リンク送信電力レベルを減じる手段を備える、請求項２８に記載のモバイル・デバイス。
【請求項３０】
前記第１の基地局とのリバース・リンク通信のために推定された送信電力の平均値を判定するために、前記第１のリバース・リンク送信電力レベルをフィルタする手段と、前記第２の基地局とのリバース・リンク通信のための送信電力の平均値を判定するために、前記第２のリバース・リンク送信電力レベルをフィルタする手段とを更に備える請求項２８に記載のモバイル・デバイス。
【請求項３１】
モバイル・デバイスにおいて、第２のキャリアを使用する第１の基地局から前記第２のキャリアとは異なるホットスポット・キャリアである候補キャリアを受信する手順と、
前記受信された候補キャリアのパイロット電力レベルに基づいて、前記候補キャリアに関連付けられた第１のリバース・リンク送信電力レベルを判定する手順と、
前記第１のリバース・リンク送信電力レベルと、第２の基地局と通信するために前記モバイル・デバイスによって使用される前記第２のキャリアに対応する第２のリバース・リンク送信電力レベルとの差を判定する手順と、
前記第１のリバース・リンク送信電力レベルと前記第２のリバース・リンク送信電力レベルとの差に基づいて、前記モバイル・デバイスがセルラ・ネットワーク上で通信するために利用可能なキャリア・セットを更新する手順と
をコンピュータに実行させるためのプログラム。
【請求項３２】
モバイル・デバイスであって、
セルラ・ネットワークにおいて、基準キャリアを使用する基地局に関連付けられた候補フォワード・リンク信号を受信するように構成された受信機であって、前記候補フォワード・リンク信号は、前記基準キャリアとは異なるホットスポット・キャリアを使用する、受信機と、
前記フォワード・リンク信号に対応するリバース・リンク信号を送信するように構成された送信機と、
前記フォワード・リンク信号を復号し、アクティブ・キャリア・セットに基づいて、前記対応するリバース・リンク信号でデータを送信するように構成され、前記受信機および前記送信機に結合されたプロセッサと、
前記モバイル・デバイスが前記セルラ・ネットワークにおける通信のために利用可能なキャリアについての情報を備える前記アクティブ・キャリア・セットを格納するように構成され、前記プロセッサに結合されたメモリと
を備え、前記プロセッサは、前記候補フォワード・リンク信号のパイロット電力レベルに基づいて、前記候補フォワード・リンク信号に対応するリバース・リンク信号の送信電力レベルを推定し、前記候補フォワード・リンク信号に対応する前記推定されたリバース・リンク送信電力レベルと前記アクティブ・セットにおける前記基準キャリアのリバース・リンク送信電力レベルとの差に基づいて、前記アクティブ・キャリア・セットを更新するように更に構成された、モバイル・デバイス。
【請求項３３】
モバイル・デバイスによって実行される無線通信の方法であって、
第１のキャリアで第１の基地局と通信することと、
前記第１のキャリアを使用する第２の基地局からのホットスポット・キャリアの利用可能性を検出することであって、前記第１のキャリアは、前記ホットスポット・キャリアとは異なることと、
前記ホットスポット・キャリアのパイロット電力レベルを測定することと、
前記パイロット電力レベルに基づいて、前記ホットスポット・キャリアに関連付けられたリバース・リンク送信電力を推定することと、
前記ホットスポット・キャリアのパイロット電力レベルが第１のしきい値を超えており、かつ、前記推定されたリバース・リンク送信電力と、前記第１の基地局と通信するためのリバース・リンク送信電力との差が第２のしきい値を下回っていることに応じて、前記ホットスポット・キャリアに関連する情報を、前記モバイル・デバイスのアクティブ・セットに追加することと、
前記ホットスポット・キャリアのパイロット電力レベルが前記第１の予め定められたしきい値よりも小さいこと、または前記推定されたリバース・リンク送信電力と、前記第１の基地局との通信のためのリバース・リンク送信電力との差が前記第２のしきい値を超えていることに応じて、前記ホットスポット・キャリアに関連する情報を、前記モバイル・デバイスのアクティブ・セットから削除することと
を備える方法。
【発明の詳細な説明】
【関連出願】
【０００１】
本特許出願は、“Active Set Management Rule for Addition/Deletion of Hotspot Carrier from Active Set in Hotspot/Partial-Overlay Deployments for １xEV-DO RevB,”と題され、２００８年１０月２４日に出願された米国特許仮出願６１／１０８２９１号の利益を権利主張する。上記出願は、参照によって本明細書に組み込まれる。
【背景技術】
【０００２】
無線通信システムは、例えば、音声、ビデオ、パケット・データ、メッセージング、ブロードキャスト等のような、様々な通信サービスを提供するために幅広く開発されている。これらの無線システムは、利用可能なシステム・リソースを共有することによって、複数のユーザを支援する事ができる多元接続システムでありうる。こういった多元接続システムの実例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一キャリアＦＤＭＡ（ＳＣ−ＦＤＭＡ）システムを含む。
【０００３】
無線通信システムは、複数の端末のための通信を支援しうる複数の基地局を含みうる。このシステムは、複数のキャリアで動作を支援しうる。各キャリアは、特定の中心周波数および特定の帯域幅と関連付けられうる。各キャリアは、キャリアでの動作を支援するために、パイロットおよびオーバヘッド情報を伝達しうる。各キャリアは、キャリアで動作している端末のためのデータも伝達しうる。端末と基地局との間のいくつかの伝送によって、通信システムにおけるその他の伝送に対する干渉が引き起こされ、更に、これらの伝送からの干渉が観測されうる。これらの干渉は、影響を受けた全ての基地局のパフォーマンスに悪影響を及ぼしうる。
【発明の概要】
【０００４】
セルラ・ネットワークにおける通信を管理するための技術が開示される。セルラ・ネットワークは、ホットスポット・キャリアが展開される１又は複数のセクタを含みうる。ホットスポット・キャリアは、ユビキタスなキャリアの信号強度によって定義されたセクタ境界の向こうのモバイル・デバイスに対して利用可能でありうる。モバイル・デバイスは、候補ホットスポット・キャリアの信号強度を測定し、ホットスポット・キャリアで通信するための、モバイル・デバイスのリバース・リンク送信電力レベルを推定しうる。このモバイル・デバイスは、推定された送信電力に基づいて、アクティブ・セットにおけるホットスポット・キャリアを追加するか、削除するか、あるいは保持するかを決定することで、ホットスポットではないセクタのリバース・リンクに対する干渉を制限する。
【０００５】
典型的な実施形態において、セルラ・ネットワークにおいて通信する方法が開示される。この方法は、モバイル・デバイスにおいて、第１の基地局から候補キャリア信号を受信することと、候補キャリアに関連付けられた第１の電力レベルを判定することとを含む。方法は更に、第１の電力レベルと、第２の基地局と通信するためにモバイル・デバイスによって使用される第２のキャリアに対応する第２の電力レベルとの差を判定することを含む。この方法は、第１の電力レベルと、第２の電力レベルとの差に基づいて、セルラ・ネットワーク上で通信するためにモバイル・デバイスによって使用されるキャリア・セットを更新することを含む。第１の電力レベルを判定することは、第１の基地局と通信するためのリバース・リンク送信電力レベルを推定することを含みうる。第２の電力レベルを判定することは、第２の基地局と通信するためのリバース・リンク送信電力レベルを推定することを含みうる。キャリア・セットを更新することは、差が予め定められた値よりも小さい場合、候補キャリアについての情報を追加することと、差が予め定められたしきい値より大きい場合、候補キャリアについての情報を削除することとを含みうる。
【０００６】
別の実施形態において、モバイル・デバイスが開示される。このモバイル・デバイスは、セルラ・ネットワークにおける基地局に関連付けられたフォワード・リンク・キャリア信号を受信する受信機と、このフォワード・リンク・キャリアに対応するリバース・リンク・キャリア信号を送信する送信機とを含む。このモバイル・デバイスは、受信機と、フォワード・リンク・キャリアを復号し、アクティブ・キャリア・セットに基づいて、対応するリバース・リンク・キャリアでデータを送信する送信機と、に結合されたプロセッサを含む。このモバイル・デバイスは更に、セルラ・ネットワーク上で通信するためのモバイル・デバイスに対して利用可能なキャリアについての情報を含むアクティブ・キャリア・セットを格納するメモリを含む。プロセッサは、候補フォワード・リンク・キャリアに対応するリバース・リンク信号の送信電力レベルを推定し、推定された送信電力レベルと、アクティブ・セットにおける基準キャリアに関連付けられた電力レベルとの差に基づいて、アクティブ・キャリア・セットを更新する。
【０００７】
更に別の実施形態において、モバイル・デバイスによって実行される無線通信方法が開示される。この方法は、第１のキャリアで第１の基地局と通信することと、ホットスポット・キャリアの利用可能性を検出することとを含む。この方法は、ホットスポット・キャリアのフォワード・リンク・パイロット電力レベルを測定することと、このフォワード・リンク・パイロット電力に基づいて、ホットスポット・キャリアのリバース・リンク送信電力を推定することとを含む。この方法は、ホットスポット・キャリアのフォワード・リンク・パイロット電力レベルが第１のしきい値とを超えることと、ホットスポット・キャリアでの推定されたリバース・リンク送信電力と第１の基地局と通信するためのリバース・リンク送信電力との差が第２のしきい値を下回ることとに応じて、ホットスポット・キャリアに関連する情報をモバイル・デバイスのアクティブ・セットに追加することを含む。この方法は更に、ホットスポット・キャリアのフォワード・リンク・パイロット電力レベルが、予め定められた第1のしきい値を下回ることか、あるいは、ホットスポット・キャリアでの推定されたリバース・リンク送信電力と、第１の基地局と通信するためのリバース・リンク送信電力との差が、第２のしきい値よりも高いことに応じて、ホットスポット・キャリアに関連する情報をモバイル・デバイスのアクティブ・セットから削除することを含む。
【図面の簡単な説明】
【０００８】
【図１】図１は、無線通信システムを図示する。
【図２】図２は、２つのセクタによるパイロットおよびオーバヘッド情報の伝送を図示する。
【図３】図３は、モバイル・デバイスを図示する。
【図４】図４は、モバイル・デバイスと、２つのセクタとの間の通信の態様を図示する。
【図５】図５は、モバイル・デバイスによるアクティブ・セット管理のための処理を図示する。
【図６】図６は、アクティブ・セットにホットスポット・キャリアを追加するための処理を図示する。
【図７】図７は、アクティブ・セットからホットスポット・キャリアを削除するための処理を図示する。
【０００９】
これらの図において、類似する構成要素および／あるいは機能は、同じ参照ラベルを有しうる。更に、同じタイプの様々な構成要素は、ダッシュ記号を伴う参照ラベルと、類似する構成要素を区別するための第２のラベルとに従って区別されうる。第１の参照ラベルのみが使用される場合、説明は第１の参照ラベルによって指定された類似の構成要素のうちの任意のものに適用可能である。
【発明を実施するための形態】
【００１０】
本明細書において説明された技術は、ＣＤＭＡや、ＴＤＭＡや、ＦＤＭＡや、ＯＦＤＭＡや、ＳＣ−ＦＤＭＡや、その他のシステムのような様々な無線通信システムのために使用されうる。用語「システム」および「ネットワーク」は、しばしば置換可能に使用される。ＣＤＭＡシステムは、ＣＤＭＡ２０００やユニバーサル地上無線接続（ＵＴＲＡ）などのような、ラジオ技術を実施しうる。ＣＤＭＡ２０００は、ＩＳ−２０００規格と、ＩＳ−９５規格と、ＩＳ−８５６規格とをカバーする。ＩＳ−２０００リリース０およびリリースＡは一般に、ＣＤＭＡ２０００  １Ｘや、１Ｘなどと称される。ＩＳ−８５６（ＴＩＡ−８５６）は一般に、ＣＤＭＡ２０００  １ｘＥＶ−ＤＯや、高レート・パケット・データ（ＨＲＰＤ）などと称される。ＵＴＲＡは、ワイドバンドＣＤＭＡ（ＷＣＤＭＡ）と、ＣＤＭＡのその他の変形とを含む。ＴＤＭＡシステムは、グローバル・システム・フォー・モバイル・コミュニケーション（ＧＳＭ（登録商標））のような、ラジオ技術を実施しうる。ＯＦＤＭＡシステムは、例えば、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのようなラジオ技術を実施しうる。ＵＴＲＡおよびＥ−ＵＴＲＡは、ユニバーサル・モバイル通信システム（ＵＭＴＳ）の一部である。３ＧＰＰロング・ターム・エボリューション（ＬＴＥ）およびＬＴＥ−アドバンスト（ＬＴＥ−Ａ）は、Ｅ−ＵＴＲＡを使用するＵＭＴＳの最新リリースである。ＵＴＲＡと、Ｅ−ＵＴＲＡと、ＵＭＴＳと、ＬＴＥと、ＬＴＥ−Ａと、ＧＳＭとは、“3rd Generation Partnership Project”（３ＧＰＰ)と命名された団体からの文書に説明される。ＣＤＭＡ２０００とＵＭＢとは、“3rd Generation Partnership Project 2” （３ＧＰＰ２)と命名された団体からの文書において説明される。本明細書において説明された技術は、上述されたシステムおよびラジオ技術に加えて、その他のシステムおよびラジオ技術のために使用されうる。明確にするために、技術の特定の態様は、ＨＲＰＤについて以下に説明される。
【００１１】
図１は、複数の基地局１１０を有する無線通信システム１００を図示する。システム１００は、複数のキャリアで動作を支援しうる。マルチキャリア送信機は、複数のキャリアで、１又は複数の変調信号を同時に送信しうる。各変調信号は、例えば、ＣＤＭＡ信号、ＴＤＭＡ信号、ＯＤＦＭＡ信号、ＳＣ−ＦＤＭＡ信号などである。各変調信号は、異なるキャリアで送信され、例えば、パイロット、オーバヘッド情報、データなどを伝送しうる。典型的な実施形態において、システム１００は、１ｘＥＶ−ＤＯ  Ｒｅｖ．Ｂネットワークの要素を含み、ホットスポット・キャリアの展開や、部分的なシステム・オーバレイや、その他のネットワークのバリエーションを支援する。
【００１２】
基地局１１０は、端末と通信する局であり、例えば、アクセス・ポイント、ノードＢ、発展型ノードＢ（ｅＮＢ）などとも称されうる。各基地局１１０は、特定の地理的エリアのための通信カバレッジを提供しうる。システム・キャパシティを向上するために、基地局１１０のカバレッジ・エリア１０２全体は、複数（例えば、３つ）の、より小さいエリアに区分されうる。より小さい各エリアは、それぞれの基地局サブシステムによってサービス提供される。用語「セル」は本明細書において、基地局および／あるいは基地局サブシステムによってサービス提供されるカバレッジ・エリア１０２と称するように使用される。用語「セクタ」あるいは「セル・セクタ」は、基地局１１０および／あるいは基地局サブシステムの最小カバレッジ・エリアを称する。例示のために、各基地局１１０のカバレッジ・エリア１０２は、セクタα、β、およびγに分割される。
【００１３】
システム１００は、マクロ基地局のみを含むか、あるいは、例えば、マクロ、ピコ、および／又はフェムト基地局のような異なるタイプの基地局を有しうる。マクロ基地局は、比較的大きな地理的エリア（例えば、半径数キロメートル）をカバーしており、サービスに加入している端末による無制限のアクセスを可能にする。ピコ基地局は、（例えば、ピコ・セル）のような比較的小さい地理的エリアをカバーしており、サービスに加入している端末による無制限のアクセスを可能にする。フェムトあるいは屋内基地局は、（例えば、フェムト・セルのような）比較的小さい地理的エリアをカバーしており、（例えば、屋内のユーザのための端末のような）フェムト・セルとの関連性を有する端末による制限されたアクセスを可能にする。
【００１４】
アクセス端末（「端末」）１２０は、システム１００にわたって分散され、モバイル局や、モバイル・デバイスや、ユーザ器機（ＵＥ）や、加入者ユニットとも称されうる。端末１２０は、例えば、セルラ電話、携帯情報端末（ＰＤＡ）、無線通信デバイス、ハンドヘルド・デバイス、ネットブック、ノートブック・コンピュータなどを含みうる。
【００１５】
端末１２０は、フォワード・リンクおよびリバース・リンクによって、１又は複数の基地局１１０と通信する。フォワード・リンク（すなわち、下りリンク）は、基地局１１０から端末１２０への通信リンクを称し、リバース・リンク（すなわち、上りリンク）は、端末１２０から基地局１１０への通信リンクを称する。用語「アクティブ・セット」は、端末１２０が通信のために使用するキャリア・セットを称しうる。上りリンクで端末１２０からの伝送を復号し、下りリンク伝送を受信するように端末１２０によって選択されうる基地局１１０に対応するセクタ・キャリアのペアを、このアクティブ・セットは含みうる。１ｘＥＶ−ＤＯ  Ｒｅｖ．Ｂネットワーク・ソフトハンドオフにおいては、端末１２０が、下りリンク通信を受信するために、各キャリアにおいて、アクティブ・セットから１つのセクタを選択することに留意されたい。一方、リバース・リンクでは、端末のアクティブ・セットにおける各セクタが、リバース・リンク伝送の復号、およびリバース・リンクでのアクセス端末の送信パイロット電力の電力制御を試みる。
【００１６】
システム１００におけるトラフィック・レベルは、セル毎およびセクタ毎によって異なる。典型的なシステムにおいて、セクタβ−２は近隣セクタα−１あるいはγ−３よりも比較的高いトラフィック量を有しているように図示される。サービスに対する更なる高需要を満たすために、基地局１１０−２は、セクタβ−２において、ホットスポット・キャリアを用いてセットアップされうる。ホットスポット・キャリアは、近隣セクタにおいて利用不可能なキャリアを称する。例えば、近隣セクタα−１、β−２、γ−３における基地局１１０−１、１１０−２、１１０−３によって使用される周波数ｆ１は、システム１００においてユビキタスである。しかし、ホットスポット・キャリアｆ２は、セクタβ−２における基地局１１０−２で展開され、近隣セクタにおける基地局１１０−１あるいは基地局１１０−３からは利用不可能である。このように、ホットスポット・キャリアｆ２は、ユビキタスとは見なされないだろう。
【００１７】
ホットスポット・キャリアは、ユビキタスなキャリアとは異なる干渉パターンを示し、拡張カバレッジ・エリアおよび負荷バランシング・フレキシビリティを提供しうる。ユビキタスに展開されたキャリアは、全ての近隣セクタ伝送からの干渉を受けやすい。しかし、ホットスポット・キャリアは、同じホットスポット・キャリアが展開されている近隣セクタからのセクタ越しの干渉しか受けない。このように、ホットスポット・キャリアは一般に、ユビキタスなキャリアよりも少ない干渉しか受けない。干渉が低減された結果、ホットスポット・キャリアは、所与の送信電力レベルで、ユビキタスなキャリアに比べて、カバレッジ・エリアを拡張しうる。
【００１８】
図２は、セクタα−１、β−２によるパイロットおよびオーバヘッド情報の典型的な伝送を図示する。実例において、基地局１１０−１は周波数ｆ１で送信するが、基地局１１０−２は周波数ｆ１およびホットスポット・キャリアｆ２の両方で送信する。セクタα−１、β−２のための伝送タイムラインはスロットに分割され、各スロットは１．６７ミリ秒（ｍｓ）の持続時間を有し、１．２２８８Ｍｃｐで２０４８チップをカバーする。各スロットは２つの半スロットに分けられ、各半スロットはパイロット・バーストを含む。このパイロットは、基地局１１０および端末１２０によって先験的に知られており、固定電力レベルで送信される。各パイロット・バーストの両わきで、（「ＭＡＣ」と示された）シグナリング・バーストが送信される。データは、各半スロットの残りの部分において送信されうる。
【００１９】
各端末１２０は、各セクタにおける各キャリアのフォワード・リンク・パイロットの信号対雑音比をモニタしうる。パイロットの信号対雑音比が予め定められたしきい値を超えた場合、端末１２０はセクタ・キャリアのペアを自己のアクティブ・セットに追加しうる。好適に、ホットスポット・キャリアはすぐにアクティブ・セットに追加される。しかし、追加されると、ホットスポット・セクタは、端末１２０からのリバース・リンク伝送の復号を試み、端末１２０からのリバース・リンク伝送の送信電力レベルが、ホットスポット・キャリアに影響を及ぼすだろう。例えば、端末がセクタ・キャリア（β−２、ｆ２）をアクティブ・セットに追加すると、基地局１１０−２は、モバイル端末からのリバース・リンク伝送の復号を試みる。これは、経路損失の観点から、例えば、端末のより近くにある基地局１１０−１のリバース・リンクに対して、リバース・リンクにおける隣接チャネル干渉を引き起こす。このような干渉は、基地局１１０−１におけるその他のタイプの干渉と区別がつかず、リバース・リンクでのシステム・キャパシティの低減をもたらす。本明細書において説明される技術は、この望ましくない効果を制限しうる。  図３は、モバイル・デバイス３００のブロック図である。モバイル・デバイス３００は、通信システム１００において動作するアクセス端末１２０である。いくつかの実施形態において、モバイル・デバイス３００は、ＩＳ−８５６規格およびＴＩＡ−８５６規格によって指定されるようなフォーマットを有する信号を処理するように構成されている。
【００２０】
アンテナ３０５は、基地局１１０および／あるいは基地局サブシステムからフォワード・リンク信号を受信しうる。受信機（ＲＣＶＲ）３１０は、アンテナ３０５からのフォワード・リンク信号を処理し、入力サンプルを提供しうる。受信（ＲＸ）データ・プロセッサ３１５は、（例えば、ＣＤＭＡ、ＯＦＤＭＡなどのための）入力サンプルを処理し、受信されたシンボルを取得する。ＲＸデータ・プロセッサ３１５は更に、受信されたシンボルを処理（例えば、変調、デインターリーブ、復号）し、復号されたデータをデータ・シンク３２０に提供し、復号されたオーバヘッド情報を、コントローラ／プロセッサ３２５に提供する。
【００２１】
ＴＸデータ・プロセッサ３４０は、データ・ソース３４５からデータを受信し、コントローラ／プロセッサ３２５から（例えば、データ・レート要求、ＣＱＩ情報、電力制御などの）制御情報を受信しうる。ＴＸデータ・プロセッサ３４０は、データおよび制御情報を処理し、出力サンプルを生成しうる。送信機（ＴＭＴＲ）３３５は、出力サンプルを処理し、リバース・リンク信号を生成しうる。このリバース・リンク信号は、アンテナ３０５によって、基地局１１０に送信されうる。
【００２２】
コントローラ／プロセッサ３２５は、モバイル・デバイス３００の動作を指示する。この機能の一つとして、プロセッサ３２５は、アクティブ・セットを管理し、いつアクティブ・セットが更新されるべきかを決定する。例えば、プロセッサ３２５は、候補キャリアをいつアクティブ・セットに追加するか、および、既存のキャリアをいつアクティブ・セットから削除するかを決定しうる。メモリ３３０は、プロセッサ３２５に結合され、アクティブ・セットを格納する。メモリ３３０は更に、モバイル・デバイス３００のためのプログラム・コードおよびその他のデータを格納する。プロセッサ３２５は、メモリ３３０におけるデータおよびプログラム命令群にアクセスし、本明細書において説明される動作を実行するためにプログラム命令群を実行する。メモリ３３０は、データおよびプログラム命令群が符号化される１又は複数の揮発性あるいは不揮発性のコンピュータ読取可能記憶素子を含む。
【００２３】
プロセッサ３２５は、受信機３１０によって検出された全てのセクタ・キャリアのペアのパイロット強度を定期的にモニタする。各セクタのパイロット・チャネルは、基地局１１０の擬似乱数（ＰＮ）によってその他のセクタから区別されうる。これによって、モバイル・デバイス３００は、同じキャリアにおける異なるセクタを識別することと、ホットスポット・キャリアあるいは部分オーバレイ・ネットワークを認識することとが可能になる。プロセッサ３２５は、受信機３１０およびＲＸデータ・プロセッサ３１５から取得された、チップ毎エネルギ対合計受信電力（Ｅｃ／ｌｏ）のような信号対雑音比か、あるいはその他の測定値に従って信号強度を判定する。
【００２４】
プロセッサ３２５は、信号対雑音比を第１のしきい値と比較しうる。第１のしきい値は、モバイル・デバイス３００が、特定のキャリアで、フォワード・リンク伝送を特定のセクタ１０２から適切に受信して復号しうるかを示しうる。第１のしきい値を超えるキャリアでは、プロセッサ３２５が、対応するリバース・リンク送信電力を推定しうる。
【００２５】
プロセッサ３２５の送信制御モジュール３２７は、フォワード・リンク・パイロット・チャネルに基づいてリバース・リンク送信電力を推定するための開ループ電力制御回路を含みうる。フォワード・リンク・パイロット電力はモバイル・デバイス３００に先験的に知られているので、パイロット強度は経路損失を示すインジケーションを提供する。電力制御モジュール３２７は、現行のＲＦ環境において経路損失をインバートするために必要とされるリバース・リンク送信電力を判定しうる。電力制御モジュール３２７は更に、基地局電力制御コマンドや、サービス品質要件や、パケット誤り率などに従って、アクティブ・セットにおけるキャリアのリバース・リンク送信電力を調節するための１又は複数の閉ループ電力制御回路を含みうる。
【００２６】
前述されたように、１ｘＥＶ−ＤＯシステムにおいて、モバイル・デバイスは、フォワード・リンク信号を受信するための特定の基地局１１０を選択するが、アクティブ・セットにおける全ての基地局１１０にリバース・リンクで送信しうる。したがって、アクティブ・セットにおけるセクタ・キャリア間の送信電力差分が大きい場合、近くのセクタのリバース・リンクにおける隣接チャネル干渉が結果として生じる。例えば、モバイル・デバイス３００が、経路損失の観点から、ホットスポット・セクタから比較的離れたところに位置する場合、電力制御モジュール３２７は、高いリバース・リンク送信電力が必要とされていると推定しうる。しかし、高い送信電力を使用してホットスポット・キャリアで通信することによって、近くのセクタへのリバース・リンク伝送と干渉しうる。この干渉は近くのセクタにおけるキャパシティを低減し、システム・パフォーマンス全体に悪影響を与えうる。
【００２７】
プロセッサ３２５は、ホットスポット・キャリアにおける既存の又は候補の信号のリバース・リンク送信電力レベルと、リバース・リンクでホットスポットではないキャリアと通信するために使用される送信電力との比較を実行しうる。例えば、プロセッサ３２５は、ホットスポット・キャリアでの推定されたリバース・リンク送信電力と、アクティブ・セットにおけるセクタ・キャリアの最小リバース・リンク送信電力との差（difference）として、電力差分（differential）を判定しうる。望ましくは、比較のために平均送信電力レベルが使用される。例えば、５００ミリ秒のような予め定められた時定数を有する単極ＩＩＲ（無限インパルス応答）フィルタを用いて、線形領域においてフィルタリングすることによって、モバイル・デバイスは平均リバース・リンク送信電力レベルを判定しうる。
【００２８】
電力差分は、リバース・リンク送信電力での安全性チェックとして使用されうる。プロセッサ３２５は、リバース・リンク送信電力差分を第２のしきい値と比較する。リバース・リンク送信電力差分が第２のしきい値を超える場合、候補キャリアはアクティブ・セットに追加されないか、あるいは、既存のキャリアがアクティブ・セットから削除される。例えば、リバース・リンク電力差が、最大リバース・リンク送信電力差分を超える場合、プロセッサ３２５は、アクティブ・セットからキャリアを拒否あるいはドロップしうる。例えば、電力差分が１８ｄＢあるいはその他の予め定められた値を超える場合、プロセッサ３２５はホットスポット・キャリアを追加しない可能性がある。一方で、リバース・リンク電力差が第２のしきい値を超えない場合、プロセッサ３２５はアクティブ・セットに候補キャリアを追加するか、あるいはアクティブ・セット内に既存のキャリアを保持しうる。
【００２９】
図４は、アクティブ・セット管理の態様を図示する。図において、マルチキャリア１ｘＥＶ−ＤＯシステムの近隣セクタ、アルファαおよびベータβが図示される。キャリアｆ１はユビキタスである。セクタα、βにおけるキャリアｆ１のカバレッジ・エリアは、セクタ・キャリアのペア（α、ｆ１）、（β、ｆ１）を用いてラベルされた円によって示される。キャリアｆ２は、基地局１１０−２において展開されたホットスポット・キャリアあるいは部分オーバレイである。キャリアｆ２のカバレッジ・エリアは（β、ｆ２）とラベルされた、より大きな円によって示される。この配置の更なる態様は基準システム１００（図１）を用いて理解されうる。
【００３０】
図４に例示されたように、ホットスポット・キャリアｆ２のカバレッジ・エリアは、ｆ１のカバレッジ・エリアの何れかよりも著しく大きく、セクタβからセクタαに及ぶ。その結果、ユビキタスなｆ１キャリアにおけるセクタα、β間の相互干渉が生じうる。この実例的な２セクタのコンテキストにおいて、ｆ２は熱的干渉によってのみ制限され、近隣セクタまで大きく広がる。展開がより制限されているために、（β、ｆ２）のようなホットスポット・キャリアが経験するその他のセクタからの干渉は、ｆ１のようなユビキタスなキャリアに比べて少ない。その結果、複数の基地局１１０にわたって同じ送信電力レベルが使用される場合、ホットスポット・キャリアのカバレッジは同じセクタにおけるユビキタスなキャリアのカバレッジより大きい。更に、ホットスポット・キャリアのセルの端に位置するモバイル・デバイスについてのフォワード・リンク信号強度は、ユビキタスなキャリアにおけるフォワード・リンク信号強度よりも著しく高い。
【００３１】
システム・オペレータの観点から、ホットスポット・キャリアのセルの端における利用可能性が増加することと、カバレッジが拡張することとの組合せが、サービス向上の機会を提供し、負荷平準化およびリソース割当についてより優れたフレキシビリティを提供しうる。従って、可能であれば、ホットスポット・カバレッジ・エリアの本来の範囲全体を利用することと、ホットスポット・キャリアの（ユビキタスなキャリアのカバレッジによって定義されるような）セルの端におけるモバイル・デバイスを選択的にスケジュールすることとが望ましい。セルの端では、これらのモバイル・デバイスはユビキタスなキャリアに比べて、より高い信号強度を有する。
【００３２】
モバイル・デバイス１２０は最初、セクタα内のポジションＰ１に位置している。ポイントＰ１において、モバイル・デバイス１２０は、ユビキタスなキャリアｆ１において基地局１１０ａによってサービス提供されているので、アクティブ・セットに（α、ｆ１）についての情報を保持する。モバイル・デバイス１２０がポイントＰ１からポイントＰ２に移動すると、これはホットスポット・キャリア（β、ｆ２）のカバレッジ・エリアに入る。例えば、ポジションＰ２において、ホットスポット・キャリアが受信機３１０（図３）によって検出され、プロセッサ３２５は、自己のフォワード・リンク・パイロット強度がアクティブ・セットに対する追加についてのしきい値レベルを超えたと判定しうる。従って、モバイル・デバイス１２０は、ポイントＰ２において、（β、ｆ２）をアクティブ・セットに追加しうる。
【００３３】
しかし、ホットスポット・キャリアが追加される前に、電力制御モジュール３２７は、対応するリバース・リンク信号の送信電力レベルを推定する。Ｐ２が基地局１１０−２から比較的遠いために、著しい経路損失が存在しうる。電力制御モジュール３２７は、現行のＲＦ環境において、開ループ電力制御を使用して経路損失をインバートするためのリバース・リンク電力レベルを推定しうる。プロセッサ３２５はその後、（α、ｆ１）におけるリバース・リンク送信電力と、（β、ｆ２）における推定されたリバース・リンク送信電力との間の電力差を判定しうる。例えば、プロセッサ３２５は、電力差分に達するようにリバース・リンク電力レベルを減じうる。
【００３４】
ポイントＰ２において、電力差分が第２のしきい値を超えると仮定される。その結果、ポイントＰ２において（β、ｆ２）をアクティブ・セットに追加することによって、（α、ｆ１）における、リバース・リンク伝送に対する隣接チャネル干渉を引き起こす可能性が高くなり、ｆ１のリバース・リンクでセクタαにおけるその他の端末にサービス提供するために、基地局１１０−１のリバース・リンク・キャパシティが低減されうる。従って、可能な限り早く（β、ｆ２）をアクティブ・セットに追加することが望ましいが、プロセッサ３２５は、ポイントＰ２においてアクティブ・セットにホットスポット・キャリアを追加することを拒否する。
【００３５】
モバイル・デバイス１２０がポイントＰ２からその他のポイントＰ３に移動すると、リバース・リンク電力差分は第２のしきい値を下回る。これは、実例において、リバース・リンク電力差分が交差する、セクタα内の境界を示す破線によって表されている。ポイント３において、リバース・リンク（α、ｆ１）に対して害を及ぼすレベルの干渉が、（β、ｆ２）でのリバース・リンク伝送によって引き起こされることはないため、プロセッサ３２５はホットスポット・キャリア（β、ｆ２）をアクティブ・セットに追加する。
【００３６】
モバイル・デバイス１２０がポイントＰ４に向かって進み続けると、（α、ｆ１）の信号対雑音および干渉比（ＳＩＮＲ）が増加し、（α、ｆ１）は最良のリンクではなくなる。そのポイントにおいて、仮想ソフト・ハンドオフが実行され、基地局１１０−２が、セクタβにおいてサービス提供する基地局として選択されうる。基地局１１０−２がユビキタスなキャリアｆ１およびホットスポット・キャリアｆ２の両方を送信するので、経路損失条件は同じであり、リバース・リンクにおける隣接チャネル干渉問題は存在しない。このように、ポイントＰ４において、モバイル・デバイス１２０のアクティブ・セットは、（β、ｆ１）および（β、ｆ２）の両方を含む。
【００３７】
類似の処理が逆方向で実行されうる。モバイル・デバイス１２０がポイントＰ４からポイントＰ３に移動すると、ユビキタスなキャリアｆ１でサービス提供する基地局となる基地局１１０−１を用いて、基地局１１０間の仮想ソフト・ハンドオフが実行されうる。リバース電力差分が第２のしきい値を超えない場合、ホットスポット・キャリア（β、ｆ２）はアクティブ・セットに保持されうる。モバイル・デバイス１２０がポイントＰ３からポイントＰ２へ進むと、リバース電力差分がしきい値を超え、ホットスポット・キャリア（β、ｆ２）はアクティブ・セットから削除される。
【００３８】
従って、モバイル・デバイス１２０は、候補ホットスポット・キャリアをアクティブ・セットに追加する前に個別のチェックを実行しうる。最初のチェックにおいて、電力制御モジュール３２７は、ホットスポット・キャリアのフォワード・リンク・パイロット強度あるいはＥｃ／Ｉｏを判定しうる。プロセッサ３２５は、このパイロット強度を追加しきい値と比較しうる。パイロット強度が追加しきい値を超える場合、プロセッサ３２５は、ホットスポット・キャリアでの推定されたリバース・リンク送信電力を取得し、アクティブ・セットにおけるその他のセクタに対するリバース・リンク伝送に関して安全性チェックを実行しうる。条件が変化すると、プロセッサ３２５はアクティブ・セットをモニタし、フォワード・リンク・パイロット強度の第１のしきい値か、リバース・リンク送信電力の第２のしきい値かの何れかに基づいて、ホットスポット・キャリアあるいはオーバレイ・キャリアをドロップしうる。
【００３９】
図５は、アクティブ・セットを更新する処理５００を図示する。処理５００は、通信システム１００内で動作するモバイル・デバイス１２０のプロセッサ３２５およびその他の要素によって実行されうる。ブロック５１０において、モバイル・デバイス１２０はホットスポット・キャリアを検出する。ホットスポット・キャリアは近隣セクタ１０２から生じ、フォワード・リンク・パイロット電力が、予め定められたＳＮＲしきい値を超えた場合に検出されうる。ブロック５２０において、デバイス１２０はホットスポット・キャリアでのリバース・リンク送信電力を推定する。リバース・リンク電力推定は、ホットスポット・パイロットのＥｃ／Ｉｏ測定によって判定された経路損失のインバートに基づく。
【００４０】
ホットスポット・キャリアでの推定されたリバース・リンク送信電力と、アクティブ・セットにおけるその他のセクタ・キャリアで通信するために使用されるリバース・リンク送信電力レベルとの間の電力差が、ブロック５３０において判定される。好適に、この電力差分はアクティブ・セットにおける全てのホットスポットではないセクタ・キャリアにわたる最小リバース・リンク送信電力に関連して計算される。アクティブ・セットにおける基地局と通信するために使用されるリバース・リンク送信電力は、基地局電力制御コマンドと、サービス品質インジケータと、パケット誤り率制御と、ＲＦ環境における現行の条件とを含む開ループおよび閉ループ電力制御回路に従って判定されうる。候補ホットスポット・キャリアでの推定されたリバース・リンク送信電力と、アクティブ・セットにおけるホットスポットではないキャリアについての最小リバース・リンク送信電力との両方とも、予め定められた時間定数（例えば、５００ミリ秒）を有する単極ＩＩＲフィルタを用いて線形領域において電力測定をフィルタリングすることによって、あるいはその他の信号処理技術によって生成されうる平均値である。
【００４１】
リバース・リンク安全性しきい値は、ブロック５４０において決定される。この安全性しきい値は、リバース・リンク電力要件による干渉の可能性に対してホットスポット・キャリアを利用する必要性のバランスを取る。安全性しきい値は固定値であるか、あるいは、特定の通信システムに合わせて調整されうる。安全性しきい値は更に、通信ネットワーク１００における周波数間隔に応じて決定されうる。ホットスポット・キャリアで必要とされるリバース・リンク送信電力から、ユビキタスなキャリアで必要とされるリバース・リンク送信電力を引いた電力差分が、安全性しきい値と比較されうる。前述されたように、複数のキャリアが存在する場合、ホットスポット・キャリアでのリバース・リンク送信電力と、アクティブ・セットにおけるその他のキャリア全てにわたる最小リバース・リンク送信電力との間のリバース・リンク電力差分が計算されうる。
【００４２】
ルックアップ・テーブルがメモリ３３０に格納されうる。これによって、周波数間隔が適切なリバース・リンクしきい値にマッピングされる。リバース・リンクしきい値は、保護周波数帯域の存在およびサイズに依存して大きくなる、あるいは小さくなる。保護周波数帯域が大きいシステムにおいて、しきい値は好適には比較的大きい。これによって、モバイル・デバイス１２０は、アクティブ・セットにホットスポット・キャリアを追加あるいは保持することについて、より積極的になる。一方で、周波数間隔が小さいと、有害な隣接チャネル干渉の可能性を低減するために、比較的小さなしきい値が好適に使用される。
【００４３】
ブロック５５０において、アクティブ・セットが更新される。電力差分に依存して、ホットスポット・キャリアがアクティブ・セットに対して、追加されるか、削除されるか、あるいはアクティブ・セットの一部として保持されうる。
【００４４】
図６は、候補ホットスポット・キャリアをアクティブ・セットに追加する処理６００を図示する。処理６００は、通信システム１００の一部として動作するモバイル・デバイス３００のプロセッサ３２５およびその他の要素によって実行される。候補ホットスポット・キャリアは、ブロック６１０において、受信機３２５のような受信回路によって検出される。ブロック６２０において、ホットスポット・キャリアのパイロット・チャネルのＳＮＲが判定され、ネットワーク１００で通信するためのしきい値と比較される。パイロットＳＮＲがしきい値より大きくない場合、６７０において、ホットスポット・キャリアはアクティブ・セットに追加されず、処理６００は完了する。
【００４５】
ブロック６３０、６４０において、ホットスポット・キャリアのリバース・リンク電力がフォワード・リンク信号から推定され、電力差分ＰΔが判定される。この電力差分は、ホットスポット・キャリアでの推定されたリバース・リンク送信電力を、近くの基地局に対応するリバース・リンク電力に関連付ける。
【００４６】
隣接チャネル干渉についての安全性しきい値ＴＳＡＦが、ブロック６５０において決定され、ブロック６６０において、電力差分ＰΔと比較される。電力差分が安全性しきい値を超える場合（ＰΔ＞ＴＳＡＦ）、ブロック６７０において、ホットスポット・キャリアはアクティブ・セットに追加されない。この条件は、例えば、図４のポイントＰ２に対応しうる。一方、電力差分が安全性しきい値に等しい、あるいはそれを下回る場合（ＰΔ＜ＴＳＡＦ）、ブロック６８０において、ホットスポット・キャリアはアクティブ・セットに追加される。この条件は、図４のポイントＰ３に対応しうる。
【００４７】
図７は、ホットスポット・キャリアをアクティブ・セットから削除する処理７００を図示する。処理７００は、通信システム１００内で動作するモバイル・デバイス３００のプロセッサ３２５およびその他の要素によって実行されうる。ブロック７１０において、アクティブ・セットにおけるホットスポット・キャリアのパイロット電力がモニタされる。ブロック７２０において、パイロットＳＮＲが予め定められたしきい値（ＴＤＲＯＰ）を下回っていると判定された場合、ホットスポット・キャリアはブロック７７０においてアクティブ・セットから削除され、処理は終了する。そうでない場合は、処理はブロック７３０へ進む。
【００４８】
ブロック７３０において、ホットスポット・キャリアでのリバース・リンク送信電力が判定される。ホットスポット・キャリアは、既にアクティブ・セットに含まれているので、リバース・リンク電力は推定される必要がなく、ホットスポット・セクタおよび現行のＲＦ条件からのフィード・バックに基づきうる。ブロック７４０、７５０、７６０において、リバース・リンク電力差分ＰΔが判定され、隣接チャネル干渉についての安全性しきい値ＴＳＡＦと比較される。処理６００では、電力差分は、平均値を使用して、アクティブ・セットにおけるホットスポットでないセクタ・キャリアの最小リバース・リンク送信電力を、ホットスポット・キャリアでの推定されたリバース・リンク送信電力から減じることによって判定されうる。
【００４９】
リバース・リンク電力差分が安全性しきい値を超える場合（ＰΔ＞ＴＳＡＦ）、ブロック７７０において、ホットスポット・キャリアがアクティブ・セットから削除される。この条件は、例えば、図４に関連して議論されたような、ポイントＰ３からポイントＰ２への動きに対応しうる。一方、電力差分が安全しきい値を超えない場合（ＰΔ≦ＴＳＡＦ）、ブロック７８０において、ホットスポット・キャリアはアクティブ・セットに保持される。
【００５０】
本明細書における開示に関連付けて説明された様々な例示的な論理ブロック、モジュール、回路、およびアルゴリズム・ステップは、電子ハードウェアか、プロセッサによって実行されるコンピュータ・ソフトウェアか、あるいは両方の要素の組合せによって実現されうる。このハードウェアおよびソフトウェアの互換性を明確に例示するために、様々な例示的な構成要素、ブロック、モジュール、回路、およびステップが、一般的にそれらの機能の観点から上記で説明されている。このような機能が、ハードウェアとして実現されるか、プロセッサによって実行されるソフトウェアとして実現されるかは、システム全体に課せられている特定のアプリケーションおよび設計の制約に依存する。各特定のアプリケーションのために方式を変化させることによって、述べられた機能性が実施されうるがこういった実施判定は本開示の範囲からの逸脱をまねくものと解釈されるべきではない。
【００５１】
本明細書における開示に関連付けて説明された多様な論理ブロック、モジュール、及び回路は、汎用プロセッサ、デジタル信号プロセッサ（ＤＳＰ）、アプリケーション特有集積回路（ＡＳＩＣ）、フィールド・プログラマブル・ゲート・アレイ（ＦＰＧＡ）あるいはその他のプログラマブル・ロジック・デバイス、離散ゲートもしくはトランジスタ・ロジック、離散ハードウェア構成要素、あるいは本明細書で説明された機能を実行するために設計されたそれらの任意の組み合わせで実施あるいは実行されうる。汎用プロセッサは、マイクロプロセッサでありうるが、代替例として、従来型のプロセッサ、コントローラ、マイクロコントローラ、あるいは順序回路でありうる。例えば、ＤＳＰとマイクロプロセッサの組み合わせ、複数のマイクロプロセッサ、ＤＳＰコアと連結した１又は複数のマイクロプロセッサ、もしくはその他任意のこのような構成のようなコンピューティング・デバイスの組み合わせとして、プロセッサが実現されうる。
【００５２】
本明細書における開示に関連付けて説明された方法あるいはアルゴリズムのブロックは、ハードウェア、プロセッサによって実行されるソフトウェア・モジュール、あるいはそれら２つの組み合わせにおいて実現されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野において周知のその他任意の形態の記憶媒体に存在しうる。典型的な記憶媒体は、記憶媒体からの情報を読み取り、記憶媒体に情報を書き込むことができるプロセッサのようなプロセッサと結合される。代替例においては、記憶媒体はプロセッサに統合されうる。プロセッサ及び記憶媒体はＡＳＩＣ内に存在しうる。ＡＳＩＣはユーザ端末内に存在しうる。代替例においては、プロセッサ及び記憶媒体は離散的な構成要素としてユーザ端末内に存在しうる。
【００５３】
１又は複数の典型的な設計において、説明される機能は、ハードウェアか、プロセッサによって実行されるソフトウェアか、ファームウェアか、あるいはそれら任意の組み合わせで実現されうる。プロセッサによって実行されるソフトウェアにおいて実現される場合、機能は、１あるいは複数の命令群あるいはコードとして、コンピュータ読取可能媒体に格納されうる、もしくはそれによって送信されうる。コンピュータ読取可能媒体は、コンピュータ記憶媒体と、ある場所から別の場所へのコンピュータ・プログラムの転送を容易にする任意の媒体を含む通信媒体との両方を含む。記憶媒体は、汎用又は専用コンピュータによってアクセスされうる任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光ディスク記憶装置や、磁気ディスク記憶装置もしくはその他の磁気記憶デバイスや、あるいは命令群もしくはデータ構造の形態で希望のプログラム・コードを伝達あるいは格納するために使用され、汎用又は専用コンピュータ、あるいは汎用又は専用プロセッサによって処理されうる、その他任意の媒体を備えうる。更に、任意のコネクションが、コンピュータ読取可能媒体と適切に称される。例えば、同軸ケーブルや、光ファイバ・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバ・ケーブルや、ツイスト・ペアや、ＤＳＬや、あるいは赤外線、無線、及びマイクロ波のような無線技術は、媒体の定義に含まれる。本明細書で使用されるようなディスク（ｄｉｓｋ）及びディスク（ｄｉｓｃ）は、コンパクト・ディスク（ＣＤ）（ｄｉｓｃ）、レーザ・ディスク（ｄｉｓｃ）、光学ディスク、デジタル・バーサタイル・ディスク（ＤＶＤ）（ｄｉｓｃ）、フロッピー（登録商標）ディスク（ｄｉｓｋ）及びブルーレイ（登録商標）ディスク（ｄｉｓｃ）を含む。ここで、ディスク（ｄｉｓｋ）は通常データを磁気的に再生する一方、ディスク（ｄｉｓｃ）はレーザを用いてデータを光学的に再生する。上記のものによる組合せも、コンピュータ読取可能媒体の範囲内に含まれる。
【００５４】
前述の開示の説明は、当業者が本開示を製造あるいは使用できるように提供される。本開示に対する多様な変形例は当業者に対して容易に明らかになるであろう。また本明細書で規定された一般的原理は、この開示の精神あるいは範囲から逸脱することなくその他の変形に適用されうる。よって、本開示は本明細書で示される実例および設計に限定されるものではなく、本明細書で開示された原理および新規の特徴と矛盾しない最大範囲であると認められるべきである。
なお、以下に、出願当初の特許請求の範囲に記載された発明を付記する。
［Ｃ１］
セルラ・ネットワークにおいて通信する方法であって、
モバイル・デバイスにおいて第１の基地局から候補キャリアを受信することと、
前記候補キャリアに関連付けられた第１の電力レベルを判定することと、
前記第１の電力レベルと、第２の基地局と通信するために前記モバイル・デバイスによって使用される第２のキャリアに対応する第２の電力レベルとの差を判定することと、
前記第１の電力レベルと前記第２の電力レベルとの差に基づいて、前記セルラ・ネットワーク上で通信するための、前記モバイル・デバイスに対して利用可能なキャリア・セットを更新することと
を備える方法。
［Ｃ２］
前記第１の電力レベルを判定することは、前記候補キャリアでの、前記第１の基地局とのリバース・リンク通信のための送信電力レベルを推定することを備えるＣ１に記載の方法。
［Ｃ３］
前記差を判定することは更に、前記推定されたリバース・リンク送信電力レベルを、前記第２のキャリアでの前記第２の基地局とのリバース・リンク通信のための送信電力レベルと比較することを備えるＣ２に記載の方法。
［Ｃ４］
前記更新することは、前記差が、予め定められた値よりも小さいことに応じて、前記候補キャリアについての情報を、前記キャリア・セットに追加することを備えるＣ１に記載の方法。
［Ｃ５］
前記更新することは、前記差が、予め定められた値よりも大きいことに応じて、前記候補キャリアについての情報を、前記キャリア・セットから削除することを備えるＣ１に記載の方法。
［Ｃ６］
前記候補キャリアを受信することは、前記第１の基地局からのフォワード・リンク・パイロットの電力レベルを判定することを更に備えるＣ１に記載の方法。
［Ｃ７］
前記キャリア・セットを更新することは、前記差が、予め定められた値よりも小さく、かつ、前記第１の基地局からのフォワード・リンク・パイロットの電力レベルが第２のしきい値を超えていることに応じて、前記候補キャリアについての情報を追加することを備えるＣ６に記載の方法。
［Ｃ８］
前記キャリア・セットを更新することは、前記差が、予め定められた値を超えているか、あるいは、前記第１の基地局からのフォワード・リンク・パイロットの電力レベルが第２のしきい値を下回っていることに応じて、前記候補キャリアについての情報を、前記キャリア・セットから削除することを備えるＣ６に記載の方法。
［Ｃ９］
前記キャリア・セットは、前記差が、前記セルラ・ネットワークの周波数間隔に基づいて、予め定められたしきい値を超えていることに応じて更新されるＣ１に記載の方法。
［Ｃ１０］
前記キャリア・セットは、少なくとも１つの基地局および周波数ペアに関連する情報を含むＣ１に記載の方法。
［Ｃ１１］
前記第２の基地局は、前記候補キャリアの周波数とは異なる１又は複数の周波数のみで送信するＣ１に記載の方法。
［Ｃ１２］
前記モバイル・デバイスは、ＴＩＡ−８５６（電気通信産業団体）規格によって規定されるようなフォーマットを有する信号を処理するように構成されたＣ１に記載の方法。
［Ｃ１３］
前記候補キャリアは、前記セルラ・ネットワークのホットスポット・キャリア又は部分オーバレイ・キャリアを備えるＣ１に記載の方法。
［Ｃ１４］
前記第１の電力レベルを判定することは、前記候補キャリアでの、前記第１の基地局とのリバース・リンク通信のための送信電力を推定することを備え、前記第２の電力レベルは、前記第２のキャリアでの第２の基地局とのリバース・リンク通信のための送信電力を備えるＣ１に記載の方法。
［Ｃ１５］
前記第１の電力レベルは、前記第１の基地局とのリバース・リンク通信のために推定された送信電力の平均値を備え、前記第２の電力レベルは、前記第２の基地局とのリバース・リンク通信のための送信電力の平均値を備えるＣ１４に記載の方法。
［Ｃ１６］
前記差を判定することは、前記第２の電力レベルから前記第１の電力レベルを減じることか、前記第１の電力レベルから前記第２の電力レベルを減じることかを備えるＣ１５に記載の方法。
［Ｃ１７］
前記第１の基地局とのリバース・リンク通信のために推定された送信電力の平均値を判定するために、前記第１の電力レベルをフィルタすることと、前記第２の基地局とのリバース・リンク通信のための送信電力の平均値を判定するために、前記第２の電力レベルをフィルタすることとを更に備えるＣ１５に記載の方法。
［Ｃ１８］
セルラ・ネットワーク上での無線通信のために動作可能なモバイル・デバイスであって、
前記モバイル・デバイスにおいて、第１の基地局から候補キャリアを受信する手段と、
前記候補キャリアに関連付けられた第１の電力レベルを判定する手段と、
前記第１の電力レベルと、第２の基地局と通信するために前記モバイル・デバイスによって使用される第２のキャリアに対応する第２の電力レベルとの差を判定する手段と、
前記第１の電力レベルと前記第２の電力レベルとの差に基づいて、前記セルラ・ネットワーク上で通信するためのモバイル・デバイスに対して利用可能なキャリア・セットを更新する手段と
を備えるモバイル・デバイス。
［Ｃ１９］
前記第１の電力レベルを判定する手段は、前記第１の基地局とのリバース・リンク通信のための送信電力レベルを推定する手段を備えるＣ１８に記載のモバイル・デバイス。
［Ｃ２０］
前記推定されたリバース・リンク送信電力レベルを、前記第２の基地局とのリバース・リンク通信のための送信電力レベルと比較する手段を更に備えるＣ１９に記載のモバイル・デバイス。
［Ｃ２１］
前記更新する手段は、前記差が、予め定められた値よりも小さいことに応じて、前記候補キャリアについての情報を前記キャリア・セットに追加する手段を備えるＣ１８に記載のモバイル・デバイス。
［Ｃ２２］
前記更新する手段は、前記差が、予め定められた値よりも大きいことに応じて、前記候補キャリアについての情報を前記キャリア・セットから削除する手段を備えるＣ１８に記載のモバイル・デバイス。
［Ｃ２３］
前記候補キャリアを受信する手段は、前記第１の基地局からのフォワード・リンク・パイロットの電力レベルを判定する手段を更に備えるＣ１８に記載のモバイル・デバイス。
［Ｃ２４］
前記キャリア・セットを更新する手段は、前記差が、前記予め定められた値よりも小さく、かつ、前記第１の基地局からのフォワード・リンク・パイロットの電力レベルが第２のしきい値を超えていることに応じて、前記候補キャリアについての情報を追加する手段を備えるＣ１８に記載のモバイル・デバイス。
［Ｃ２５］
前記キャリア・セットを更新する手段は、前記差が、前記予め定められた値を超えているか、あるいは前記第１の基地局からのフォワード・リンク・パイロットの電力レベルが第２のしきい値を下回っていることに応じて、前記候補キャリアについての情報を、前記キャリア・セットから削除する手段を備えるＣ１８に記載のモバイル・デバイス。
［Ｃ２６］
前記キャリア・セットが更新されることに応じて、リバース・リンク・キャリアで前記第１の基地局へ送信する手段を更に備えるＣ１８に記載のモバイル・デバイス。
［Ｃ２７］
前記モバイル・デバイスは、ＴＩＡ−８５６（電気通信産業団体）規格によって規定されたフォーマットを有する信号を処理するように構成されたＣ１８に記載のモバイル・デバイス。
［Ｃ２８］
前記候補キャリアは、前記セルラ・ネットワークにおけるホットスポット・キャリア又は部分オーバレイ・キャリアを備えるＣ１８に記載のモバイル・デバイス。
［Ｃ２９］
前記第１の電力レベルを判定する手段は、前記候補キャリアでの、前記第１の基地局とのリバース・リンク通信のための送信電力を推定する手段を備え、前記第２の電力レベルは、前記第２のキャリアでの、前記第２の基地局とのリバース・リンク通信のための送信電力を備えるＣ１８に記載のモバイル。
［Ｃ３０］
前記第２の電力レベルは、前記第１の基地局とのリバース・リンク通信のために推定された送信電力の平均値を備え、前記第２の電力レベルは、前記第２の基地局とのリバース・リンク通信のための送信電力の平均値を備えるＣ２９に記載の方法。
［Ｃ３１］
前記差を判定する手段は、前記第２の電力レベルから前記第１の電力レベルを減じる手段と前記第１の電力レベルから前記第２の電力レベルを減じる手段とを備えるＣ３０に記載の方法。
［Ｃ３２］
前記第１の基地局とのリバース・リンク通信のために推定された送信電力の平均値を判定するために、前記第１の電力レベルをフィルタする手段と、前記第２の基地局とのリバース・リンク通信のための送信電力の平均値を判定するために、前記第２の電力レベルをフィルタする手段とを備えるＣ３０に記載の方法。
［Ｃ３３］
命令群を備えるコンピュータ読取可能媒体を備えるコンピュータ・プログラム製品であって、
前記命令群は、コンピュータに、
モバイル・デバイスにおいて、第１の基地局から候補キャリアを受信することと、
前記候補キャリアに関連付けられた第１の電力レベルを判定することと、
前記第１の電力レベルと、前記第２の基地局の通信するために前記モバイル・デバイスによって使用される第２のキャリアに対応する第２の電力レベルとの差を判定することと、
前記第１の電力レベルと第２の電力レベルとの差に基づいて、セルラ・ネットワーク上で通信するための前記モバイル・デバイスに対して利用可能なキャリア・セットを更新することと
を実行させるように構成されたコンピュータ・プログラム。
［Ｃ３４］
モバイル・デバイスであって、
セルラ・ネットワークにおいて基地局に関連付けられたフォワード・リンク信号を受信するように構成された受信機と、
前記フォワード・リンク信号に対応するリバース・リンク信号を送信するように構成された送信機と、
前記フォワード・リンク信号を復号し、前記アクティブ・キャリア・セットに基づいて、前記対応するリバース・リンク信号でデータを送信するように構成され、前記受信機および送信機に結合されたプロセッサと、
前記セルラ・ネットワークにおける通信のために前記モバイル・デバイスに対して利用可能なキャリアについての情報を備える前記アクティブ・キャリア・セットを格納するように構成され、前記プロセッサに結合されたメモリとを備え、
前記プロセッサは、候補フォワード・リンク信号に対応するリバース・リンク信号の送信電力レベルを推定し、前記推定された送信電力レベルと前記アクティブ・セットにおける基準キャリアの送信電力レベルとの差に基づいて、前記アクティブ・キャリア・セットを更新するように構成されたモバイル・デバイス。
［Ｃ３５］
モバイル・デバイスによって実行される無線通信の方法であって、
第１のキャリアで第１の基地局と通信することと、
ホットスポット・キャリアの利用可能性を検出することと、
前記ホットスポット・キャリアのパイロット電力レベルを測定することと、
前記パイロット電力レベルに基づいて、前記ホットスポット・キャリアに関連付けられたリバース・リンク送信電力を推定することと、
前記ホットスポット・キャリアのパイロット電力レベルが第１のしきい値を超えており、かつ、前記推定されたリバース・リンク送信電力と、前記第１の基地局と通信するためのリバース・リンク送信電力との差が第２のしきい値を下回っていることに応じて、前記ホットスポット・キャリアに関連する情報を、前記モバイル・デバイスのアクティブ・セットに追加することと、
前記ホットスポット・キャリアのパイロット電力レベルが前記第１の予め定められたしきい値よりも小さいか、あるいは前記推定されたリバース・リンク送信電力と、前記第１の基地局との通信のためのリバース・リンク送信電力との差が前記第２のしきい値を超えていることに応じて、前記ホットスポット・キャリアに関連する情報を、前記モバイル・デバイスのアクティブ・セットから削除することと
を備える方法。
【図１】
0005453441.tif 000002
【図２】
0005453441.tif 000003
【図３】
0005453441.tif 000004
【図４】
0005453441.tif 000005
【図５】
0005453441.tif 000006
【図６】
0005453441.tif 000007
【図７】
0005453441.tif 000008